(57)【要約】【課題】モールドトランスファー方式のプレス成形に用いるのに適した多数個取り用のプレス成形型を提案すること。【解決手段】  光学素子のプレス成形型１では、下型保持板５に形成した各凹部８にフランジ５ｃがはめ込まれた状態で、各下型５が下型保持板６によって保持されている。また、各凹部８には吸引穴９が開いている。吸引穴９を介して各下型５を真空吸引すれば、各凹部８に各下型５のフランジ５ｃが吸着固定され、各下型５が固定される。プレス成形後に、プレス成形型１からプレス品Ｗを取り出し、代わりに新たなガラス素材を供給する成形型分解・組立工程では、各下型５を下型保持板６に吸着固定した状態で、胴型２から同時に引き抜くことができ、同時に胴型２に挿入することができ、かかる作業の効率化・円滑化を図れる。【選択図】図５
2006240913.tif 000002
【特許請求の範囲】
【請求項１】
複数組の上型および下型と、
各組の上型および下型が接離可能な状態で挿入される複数の貫通穴を備えている共通の胴型と、
各組の下型を保持している共通の下型保持板とを有し、
各下型は、上端に成形面が形成されている下型本体と、この下型本体の下端に一体形成されているフランジとを備えており、
前記下型保持板は、前記フランジをはめ込み可能な複数の凹部と、各凹部の底面に下型吸引用の吸引穴とを備えていることを特徴とする光学素子のプレス成形型。
【請求項２】
請求項１において、
前記胴型の前記貫通穴における、前記下型が挿入される下側開口縁に連続する内周面部分は、テーパ面となっていることを特徴とする光学素子のプレス成形型。
【請求項３】
プレス成形型に成形材料を供給した後に、当該プレス成形型を所定の移送経路に沿って移送して、前記成形材料をプレス成形するモールドトランスファー方式のプレス成形方法において、
前記プレス成形型として請求項１または２に記載の前記プレス成形型を用いることを特徴とするプレス成形方法。
【請求項４】
請求項３において、
プレス成形後に、前記プレス成形型からプレス品を取り出し、代わりに新たな成形素材を供給する成形型分解組立工程を有しており、
この成形型分解組立工程では、
前記吸引穴よりも開口面積の大きい吸引穴が形成されている載置面を備えた昇降台を用意し、
この昇降台の前記載置面に前記プレス成形型を載せ、当該プレス成形型の前記下型保持板の各吸引穴が、前記載置面の各吸引穴に重なるように位置決めし、
前記吸引穴を介して真空吸引することにより、各下型を前記下型保持板の各凹部に吸着固定すると共に、当該下型保持板を前記昇降台の前記載置面に吸着固定した状態を形成し、
前記胴型を保持した状態で、前記昇降台を下降させて、前記胴型から各下型を同時に抜き取り、
各下型の成形面に乗っているプレス品を取り出し、代わりに、新たな成形素材を当該成形面に乗せ、
前記昇降台を上昇させて、各下型を同時に前記胴型に挿入することを特徴とするプレス成形方法。
【請求項５】
請求項４において、
前記胴型の前記貫通穴における、前記下型が挿入される下側開口縁に連続する内周面部分にテーパ面を設けておき、
前記昇降台を上昇させて各下型を前記胴型に挿入する際、前記下型の一部が、前記テーパ面が設けられた内周面部分に入り込んだときに、各下型の吸着固定状態を解除することを特徴とするプレス成形方法。
【請求項６】
複数組の上型および下型と、
各組の上型および下型が接離可能な状態で挿入される複数の貫通穴を備えている共通の胴型とを有し、
各下型は、上端に成形面が形成されている円柱状の下型本体と、この下型本体の下端に一体形成されているフランジとを備えており、
前記フランジは、一定厚さの円板を、その中心周りに等角度間隔で、前記上型および下型の組数に対応する個数に分割することによって得られる扇形状をしており、
各下型のフランジが相互に当接して円板を構成した状態で、各下型の下型本体が前記胴型の貫通穴に挿入されるようになっていることを特徴とするプレス成形型。
【請求項７】
請求項６において、
前記胴型の前記貫通穴における、前記下型が挿入される下側開口縁に連続する内周面部分は、テーパ面となっていることを特徴とするプレス成形型。
【請求項８】
プレス成形型に成形材料を供給した後に、当該プレス成形型を所定の移送経路に沿って移送して、前記成形材料をプレス成形するモールドトランスファー方式のプレス成形方法において、
前記プレス成形型として請求項６または７に記載の前記プレス成形型を用いることを特徴とするプレス成形方法。
【請求項９】
請求項８において、
プレス成形後に、前記プレス成形型からプレス品を取り出し、代わりに新たな成形素材を供給する成形型分解組立工程を有しており、
この成形型分解組立工程では、
各下型のフランジを当接させることにより構成される前記円板を、その外周側から把持し、
前記胴型を保持した状態で、前記下型を前記胴型から同時に抜き取り、
各下型の成形面に乗っているプレス品を取り出し、代わりに、新たな成形素材を当該成形面に乗せ、
各下型を同時に前記胴型に再び挿入することを特徴とするプレス成形方法。
【発明の詳細な説明】
【技術分野】
【０００１】
本発明は、プレス成形型を順次に各処理室を経由させて移動して連続的にプレス成形を行うモールドトランスファー方式のプレス成形方法に用いるプレス成形型に関し、さらに詳しくは、分解および組立を簡単に行うことのできる多数個取り用のプレス成形型に関するものである。
【背景技術】
【０００２】
プレス成形後、被成形面の最終研磨を必要としないガラス素子などの光学素子の製造装置として、特許文献１に開示の製造装置が知られている。ここに開示されているガラス成形体の製造装置は、加熱室、プレス室、徐冷室、急冷部および取り出し／供給部が円周方向に並べられており、それらの下部に回転テーブルが設置された構成となっている。この製造装置はモールドトランスファー方式のプレス成形装置であり、次のようにしてプレス成形動作が行われる。
【０００３】
すなわち、胴型、および一対の成形面をもつ上型下型からなる成形型に素材（ガラスプリフォーム等）を入れ、これを回転テーブル上に置かれた試料台の上に置く。加熱室等の各処理室の下部には、試料台が通過できるようスリットが設けられている。回転テーブルを間歇的に回転させ、成形型を各処理室に順次に移送して処理を行うことによって、連続的に光学素子が製造される。
【０００４】
また、各処理室はヒーターとシャッターを備え、処理室ごとに所定温度に保持される。成形型からのプレス品の取り出しは、取り出し／供給部において試料台から成形型をロボットで外部に取り出して行っている。プレス品の取り出しは、例えば特許文献２に開示されるように、下型を吸引し胴型から引き抜くことにより成形型を分解して行うことができる。
【０００５】
ここで、生産効率を上げるには多数個取りが考えられる。従来におけるモールドトランスファー方式のプレス成形装置では、一つの処理室に同時に複数個の成形型を移送して処理を行うことで、生産効率を上げている。しかし、この方法では成形型を多く必要とし、成形型が多くなるに連れ、各処理室を大きくする必要があるので、これらが周方向に配列された構成のチャンバの外径あるいは周長を大きくする必要がある。これでは、装置が大型化し、経済的に優位性がない。
【０００６】
一つの胴型に複数組の上型下型を組み込んだプレス成形型を用いることにより、多数個取りのプレス成形を可能にしたプレス成形型が、例えば特許文献３、４において開示されている。これらの文献に開示されている多数個取り用プレス成形型は、一つの直方体形状の胴型、あるいは母型に複数組の上型下型を挿入した構成のプレス成形型である。しかし、これらのプレス成形型は、プレス成形型を順次移送してプレス成形を行うモールドトランスファー方式のプレス成形装置に適用することを前提としたものではない。したがって、これらの文献に記載のプレス成形型を上記のモールドトランスファー方式のプレス成形装置に適用しようとすると、上述したチャンバ外でのプレス成形型の分解・組立を行う工程において不都合が生ずる。
【０００７】
即ち、分解・組立工程において、胴型あるいは母型から、複数の下型を一度に引き抜くことができないという不具合がある。また、胴型あるいは母型から下型を抜いた後においては、下型が位置決めされていないので下型が位置ずれしやすく、成形素材を供給した後に、複数の下型を胴型に一度に挿入することができないという不具合がある。
【０００８】
ここで、特許文献５には、モールドトランスファー方式の多数個取り用の光学素子成形型が開示されている。ここに開示の光学素子成形型においては、プレス後に、光学素子成形型を型分解組立台上に位置決めし、各上型を胴型から上方に引き抜き、次に、シリンダを駆動して、各下型を押し上げて、各下型に乗っている成形レンズを胴型の上端面近傍の取り出し位置まで移動させ、成形レンズを取り出している。
【特許文献１】特開平１−１５７４２５号公報
【特許文献２】特開平３−２８５８３５号公報
【特許文献３】特開平５−２４８５７号公報
【特許文献４】特開平１１−２９３３３号公報
【特許文献５】特開２００４−３５９４７３号公報
【発明の開示】
【発明が解決しようとする課題】
【０００９】
上記のように、特許文献１に開示のモールドトランスファー方式のプレス成形装置の生産効率を高めるために、特許文献３、４に開示の多数個取り用のプレス成形型を適用しようとすると、プレス成形型の分解・組立工程において、胴型あるいは母型から、複数の下型を一度に引き抜くことができず、また、胴型あるいは母型から下型を抜いた後においては、下型が位置決めされていないので下型が位置ずれしやすく、成形素材を供給した後に、複数の下型を胴型に一度に挿入することができないという問題点がある。
【００１０】
また、特許文献５に開示の光学素子成形型は、成形レンズ取り出し時には各下型を突き上げて、下型成形面を胴型の上端面近傍に移動させる。このとき、下型の姿勢は下型と胴型の間のクリアランス内で傾斜する自由があるため、胴型内での下型のかじりが生じる。これは、偏心精度の高い(上下型の同軸性の高い)プレス成形のために、下型の摺動クリアランスを小さくすると特に問題となる。
【００１１】
本発明の課題は、モールドトランスファー方式のプレス成形方法に用いる多数個取り用のプレス成形型において、その共通の胴型から下型を引き抜く作業、胴型に下型を再度挿入する作業を効率良く円滑に行うことができるようにすることにある。
【課題を解決するための手段】
【００１２】
上記の課題を解決するために、本発明の光学素子のプレス成形型は、
複数組の上型および下型と、
各組の上型および下型が接離可能な状態で挿入される複数の貫通穴を備えている共通の胴型と、
各組の下型を保持している共通の下型保持板とを有し、
各下型は、上端に成形面が形成されている下型本体と、この下型本体の下端に一体形成されているフランジとを備えており、
前記下型保持板は、前記フランジをはめ込み可能な複数の凹部と、各凹部の底面に形成した下型吸引用の吸引穴とを備えていることを特徴としている。
【００１３】
本発明のプレス成形型では、下型保持板に形成した各凹部にフランジがはめ込まれた状態で、各下型が下型保持板によって保持されている。また、各凹部には吸引穴が開いている。したがって、吸引穴を介して各下型を真空吸引すれば、各凹部に各下型のフランジが吸着固定され、各下型の姿勢が固定される。よって、プレス成形後に、前記プレス成形型からプレス品を取り出し、代わりに新たな成形素材を供給する成形型分解組立工程においては、各下型を下型保持板に吸着固定した状態で、胴型から同時に引き抜くことができ、また、同時に胴型に挿入することができる。
【００１４】
尚、各下型のフランジは、各下型が下型保持板に吸着固定する際の安定性を得るために必要な当接面積を確保する。このため、プレス成形後に、前記プレス成形品からのプレス品の取り出し、新規の成形素材の供給の際に、下型と保持板の相互のずれや倒れが防止される。また、保持板に設けられた凹部も、下型と保持板の相互のずれや倒れを防止する。また、前記吸引穴は、前記凹部の中心に位置する貫通穴とすることが望ましい。
【００１５】
また、胴型に対する下型の挿入が円滑に行われるようにするためには、前記胴型の前記貫通穴における、前記下型が挿入される下側開口縁に連続する内周面部分を、テーパ面とすることが望ましい。
【００１６】
次に、本発明は、プレス成形型に成形材料を供給した後に、当該プレス成形型を所定の移送経路に沿って移送して、前記成形材料をプレス成形するモールドトランスファー方式のプレス成形方法において、前記プレス成形型として上記構成のプレス成形型を用いることを特徴としている。
【００１７】
また、プレス成形後に、前記プレス成形型からプレス品を取り出し、代わりに新たな成形素材を供給する成形型分解組立工程においては、前記吸引穴よりも開口面積の大きい吸引穴が形成されている載置面を備えた昇降台を用意し、この昇降台の前記載置面に前記プレス成形型を載せ、当該プレス成形型の前記下型保持板の各吸引穴が、前記載置面の各吸引穴に重なるように位置決めし、前記吸引穴を介して真空吸引することにより、各下型を前記下型保持板の各凹部に吸着固定すると共に、当該下型保持板を前記昇降台の前記載置面に吸着固定し、前記胴型を保持し、この状態で、前記昇降台を下降させて、前記胴型から各下型を同時に抜き取り、各下型の成形面に乗っているプレス品を取り出し、代わりに、新たな成形素材を当該成形面に乗せ、前記昇降台を上昇させて、各下型を同時に前記胴型に挿入するようにすればよい。
【００１８】
昇降台に、下型保持板の吸引穴よりも開口面積の大きい吸引穴を形成しておくと、これらの吸引穴を介して下型を真空吸引した場合には、下型保持板も昇降台の載置面に吸着固定された状態になる。よって、載置面に乗っている下型保持板および各下型の位置ずれを防止できる。
【００１９】
また、真空吸引によって下型保持板および下型が移動せず、その姿勢が固定されているので、胴型からの下型の引き抜き作業、胴型への下型の挿入作業を効率良く、しかも円滑に行うことができる。特に、胴型と下型の間のクリアランスが小さい場合（10μm以下）に有効である。
【００２０】
ここで、胴型に各下型を挿入する場合に、各下型と胴型の間に、何らかの理由により位置ずれが発生している可能性もある。このような場合にも各下型の挿入作業を円滑に行い得るようにするためには、胴型の貫通穴における、下型が挿入される下側開口縁に連続する内周面部分にテーパ面を予め設けておき、前記昇降台を上昇させて各下型を前記胴型に挿入する際に、下型の一部が、テーパ面が設けられた内周面部分に入り込んだときに、各下型の吸着固定状態を解除すればよい。これにより、テーパ面の開口縁の口径の範囲内で位置ずれが修正されて、円滑に胴型に各下型を挿入できる。
【００２１】
一方、本発明によるプレス成形型としては次の構成のものを用いることもできる。すなわち、複数組の上型および下型と、各組の上型および下型が接離可能な状態で挿入される複数の貫通穴を備えている共通の胴型とを有し、各下型は、上端に成形面が形成されている円柱状の下型本体と、この下型本体の下端に一体形成されているフランジとを備えており、前記フランジは、一定厚さの円板を、その中心周りに等角度間隔で、前記上型および下型の組数に対応する個数に分割することによって得られる扇形状をしており、各下型のフランジが相互に当接して円板を構成した状態で、各下型の下型本体が前記胴型の貫通穴に挿入されるようになっていることを特徴とするプレス成形型を用いることができる。
【００２２】
この構成のプレス成形型においては、各下型のフランジによって構成される円板を外周側から把持すれば、各下型が一体化された状態に保持される。よって、この状態で、胴型からの各下型の引き抜き作業、胴型に対する各下型の挿入作業を行えば、これらの作業時に各下型に位置ずれが発生しないので、効率良く、しかも円滑にこれらの作業を行うことができる。なお、ここでいう円板の形状は、真円でなくてもよく、円の一部が直線的に切除された形状や、楕円形状も含む。
【００２３】
ここで、各下型の挿入作業を円滑に行うためには、前記胴型の前記貫通穴における、前記下型が挿入される下側開口縁に連続する内周面部分を、テーパ面としておくことが望ましい。
【００２４】
また、かかる構成のプレス成形型は、プレス成形型に成形材料を供給した後に、当該プレス成形型を所定の移送経路に沿って移送して、前記成形材料をプレス成形するモールドトランスファー方式のプレス成形方法に適用することができる。
【００２５】
この場合、プレス成形型の移送中における各下型の位置ずれを防止するために、少なくとも移送中においては、各下型のフランジを当接させることにより構成される前記円板を、外周側から把持することが望ましい。
【００２６】
また、プレス成形後に、前記プレス成形型からプレス品を取り出し、代わりに新たな成形素材を供給する成形型分解組立工程においては、各下型のフランジを当接させることにより構成される前記円板を、外周側から把持し、前記胴型を保持し、この状態で、前記下型を前記胴型から同時に抜き取り、各下型の成形面に乗っているプレス品を取り出し、代わりに、新たな成形素材を当該成形面に乗せ、各下型を同時に前記胴型に再び挿入することが望ましい。
【発明の効果】
【００２７】
本発明の光学素子のプレス成形型では、下型保持板に形成した凹部に各下型のフランジがはめ込まれた状態で、各下型が下型保持板によって保持されている。また、凹部に開口している吸引穴を介して各下型が凹部に吸着固定可能となっている。
【００２８】
また、本発明の光学素子のプレス成形型では、各下型のフランジを相互に当接させることにより円板が構成されるようになっている。したがって、円板の周囲を外周側から把持することにより、各下型が位置決め固定される。
【００２９】
よって、本発明によれば、プレス成形型を移送することによって、各処理室で、同時に複数個の成形素材に対する処理を施し、プレス成形後に、胴型から各下型を引き抜く作業および胴型に各下型を挿入する作業によって、同時に複数個の成形素材/プレス体の入替を行うことができる。このとき上下の型と胴型とのクリアランスを小さくすることによって偏心精度良くプレス成形を行うことができる。また、そうしたタイトなクリアランスであるにもかかわらず胴型から下型を引き抜く作業および胴型に下型を挿入する作業を効率良く、しかも円滑に行うことが可能になる。
【００３０】
したがって、モールドトランスファー方式のプレス成形方法に本発明のプレス成形型を用いれば、生産効率を改善できると共に、プレス成形精度も改善できるという効果が得られる。
【発明を実施するための最良の形態】
【００３１】
以下に、図面を参照して、本発明を適用したプレス成形型およびモールドトランスファー方式によるプレス成形装置の実施の形態を説明する。
【００３２】
（プレス成形型）
図１は本発明を適用した光学素子のプレス成形型を示す縦断面図であり、図２はその分解斜視図である。本実施の形態に係るプレス成形型１は３個取り用のものであり、共通胴型２と、３組の上型４および下型５と、下型５を保持している下型保持板６（ベースホルダー）を有している。
【００３３】
共通胴型２は円柱状のものであり、ここには、等角度間隔で同一円上に位置するように、胴型軸線２ａの方向に延びている３本の円形断面の貫通穴７が形成されている。各貫通穴７は上端開口縁７ａに連続する部分は大径穴部分７ｂとされている。また、各貫通穴７の下端開口縁７ｃに連続する内周面部分は、下端開口縁７ｃに向かって僅かに広がっているテーパ面７ｄとなっている。
【００３４】
各貫通穴７の上端開口縁７ａの側からは上型４が摺動可能な状態で嵌め込まれ、その下端開口７ｃの側から下型５が摺動可能な状態で嵌め込まれる。各上型４は、下端面に成形面４ａが形成されている円柱状の上型本体４ｂと、この上型本体４ｂの上端に同軸状態で一体形成されている大径のフランジ４ｃとを備えている。このフランジ４ｃは貫通穴７の大径穴部分７ｂに嵌め込み可能な大きさとされている。なお、共通胴型２の軸線方向の中間位置には、貫通穴７内と外部空間とを連通するガス抜き穴２ｃが半径方向に穿設されている。
【００３５】
各下型５は、上端面に成形面５ａが形成されている円柱状の下型本体５ｂと、この下型本体５ｂの下端に同軸状態で一体形成されている大径のフランジ５ｃとを備えている。
【００３６】
下型５を保持している下型保持板６は円板状のものであり、等角度間隔で同一円上に位置するように、その上面には一定深さの３個の円形凹部８が形成されている。円形凹部８の深さは、下型フランジ５ｃが嵌り込める寸法となっている。従って、下型保持板６の上面６ａが共通胴型２の底面２ｂに当接することにより、共通胴型２と下型５との相対的な姿勢の傾きを防ぐ構造となる。なお、各型のプレス厚の微調整用として、この円形凹部８の底面とフランジ５ｃの間に、スペーサーを入れることもできる。
【００３７】
ここで、各円形凹部８の底面中心には、下型保持板６を厚さ方向に貫通している吸引穴９が形成されている。下型保持板６の下側から各吸引穴９を真空吸引すると、各下型５のフランジ５ｃを、下型保持板６の円形凹部８に吸着固定することができる。このとき、フランジ５ｃと凹部８の当接面積によって、各下型５が精度よく凹部上に直立、密着する。
【００３８】
上記のように下型保持板６の各円形凹部８に各下型５を吸着固定し、各下型５の成形面５ａにガラス素材Ｗを乗せ、各下型５を共通胴型２の各貫通穴７の下端開口縁７ｃの側から挿入することによって、プレス成形型１が組まれる。各下型５を共通胴型２に挿入する際、貫通穴７内のガスはガス抜き穴２ｃを介して共通胴型２の外部に排出される。なお、下型保持板６を上下二枚の円板からなる積層板とし、上側の円板には凹部８形成用の貫通穴を開け、下側の円板には吸引穴９を形成してもよい。このようにすると加工が容易になる。
【００３９】
（モールドトランスファー方式のプレス成形装置）
図３は、上記構成のプレス成形型１を用いたモールドトランスファー方式のプレス成形装置を示す平面構成図である。図４は、その取り出し・供給部を示す部分断面図であり、プレス品の取り出し前の状態を示すものである。
【００４０】
本例のプレス成形装置１００は先に引用した特許文献１に開示のものと同様な構成となっており、第１加熱室１０１、第２加熱室１０２、第３加熱室１０３、プレス室１０４、第１徐冷室１０５、第２徐冷室１０６、急冷部１０７および取り出し／供給部１０８が円周方向に並べられた構成のチャンバ１１０を有している。これらの処理室１０１〜１０６および処理部１０７、１０８の下側には回転テーブル１１１が設置されている。
【００４１】
プレス成形型１は、その３組の上型４および下型５の間にガラス素材Ｗが入れられた状態で（図１参照）、回転テーブル１１１上において等角度間隔で置かれた試料台１１２の上に置かれる。本例では、図３に示すように、各処理室および処理部に２台の試料台１１２が位置するように、これらの試料台１１２が配置されている。加熱室１０１等の各処理室の下部には、試料台１１２が通過できるようスリット（図示せず）が設けられている。
【００４２】
各処理室１０１〜１０６にはヒーター（図示せず）が備わっており、処理室１０１の入口、各処理室の間、および処理室１０６の出口がシャッター１１３〜１１９で仕切られ、処理室ごとに所定温度に保持される。回転テーブル１１１を間歇的に回転させ、プレス成形型１を各処理室１０１〜１０６および各処理部１０７、１０８に順次に移送する円形の移送経路に沿って搬送して、各処理を施すことにより、連続的に光学素子が製造される。
【００４３】
プレス成形型１からのプレス品の取り出しは、取り出し／供給部１０８において試料台１１２からプレス成形型１をロボットで外部に取出して行っている。図４を参照して説明すると、取り出し時には、昇降機１２１により回転テーブル１１１上の試料台１１２を上昇させ、試料台フランジ１１２ａをチャンバ１１０の天井面１１０ａに押しつけることで、チャンバ１１０を封鎖し、同時に、下降位置にあるベルジャー１２２との間に取り出し・供給室１２３を形成する。その直後に、ベルジャー１２２を上方に引き上げて、当該取り出し・供給室１２３を開放する。次に、試料台１１２に載っているプレス成形型１の下型保持板５を把持して、当該プレス成形型１を取り出し・供給室１２２から取り出す。同時に、ガラス素材Ｗの入った新たなプレス成形型１を試料台１１２に載せる。ベルジャー１２２を下げ、取り出し・供給室１２３を密閉して、雰囲気置換した後に、試料台１１２を下降させ回転テーブル１１１に戻す。これにより、取り出し・供給動作が終了する。
【００４４】
間欠的に回転テーブル１１１を回転することにより、各処理室１０１〜１０６および各処理部１０７、１０８の各ゾーンに、プレス成形型１が順次に移送される。なお、プレス室１０４における各上型４への加圧は、個別に行っても良いし、下型保持板５に類似した１枚の板を複数の上型４の上に載せることにより一括して加圧することもできる。前者の方法では、異なった形状のプレス品を異なった荷重で同時にプレスすることが可能になる。
【００４５】
ここで、取り出し・供給部１０８において取り出されたプレス成形型１は、ロボットハンドによって、隣接配置されている成形型分解・組立部１３０に移され、ここで、分解されてプレス品が取り出され、これに代わってガラス素材が供給され、しかる後に組み立てられる。
【００４６】
図５は、成形型分解・組立部１３０を示す断面構成図である。成形型分解・組立部１３０は、昇降機構１３１によって支持されている昇降台１３２と、胴型固定治具１３３と、真空吸引機構１３４を備えている。
【００４７】
昇降台１３２は平坦な載置面１３５を備え、この載置面１３５には、各下型５のフランジ５ｃに対応する位置に等角度間隔で同一円上に位置する３個の吸引穴１３６が形成されている。載置面１３５に対してプレス成形装置１を位置決めして載せると、各吸引穴１３６が、プレス成形装置１の下型保持板６に形成されている３個の吸引穴９に同軸状態で連通するようになっている。また、本例では、各吸引穴１３６は、吸引穴９よりも開口面積が大きく設定されている。各吸引穴１３６は昇降台内部に形成されている吸引路１３７を介して、真空吸引機構１３４の吸引口に連通している。
【００４８】
この構成の成形型分解・組立部１３０における動作を説明する。不図示のロボットハンドによってプレス成形型１が昇降台１３２の載置面１３５に、載置され、胴型固定治具１３３によって共通胴型２が両側から把持されることによって、位置決めされる。この後は、真空吸引機構１３４によって吸引穴１３６が真空吸引される。この結果、プレス成形型１における下型保持板６の各凹部底面に、各下型５のフランジ５ｃが吸着固定される。また、下型保持板６も載置面１３５に吸着固定される。
【００４９】
この後は、昇降機構１３１を駆動して昇降台１３２を下降させる。昇降台１３２を下降させると、その載置面１３５に位置決めされた状態で吸着固定されている下型保持板６および３個の下型５が一体となって下降し、定まった位置に把持されている胴型２から、各下型５が同時に引き抜かれる。
【００５０】
このようにして、胴型２から３個の下型５を、その成形面５ａに乗っているプレス品Ｗａと共に一括して引き抜くことができる。下型５上のプレス品Ｗａを取り出した後は、ガラス素材Ｗを下型５上に乗せる。プレス品Ｗａの取り出し及びガラス素材Ｗの供給は、不図示の吸着パッドつきロボットアームで行う。そして、昇降台１３２を上昇させる。下型５は、引き抜き時と同一の姿勢、及び位置に固定されたまま上昇する。
【００５１】
胴型２の底面に下型５が接近した後は、昇降台１３２を緩やかに上昇させ、下型の一部（先端部）が、胴型２の貫通穴７のテーパ面７ｄが設けられた開口縁部に入り込んだときに真空吸引機構１３４による吸引を止める。胴型２の貫通穴７の開口縁部にはテーパ面７ｄが設けられているので、この面に案内されて、下型５が円滑に胴型貫通穴７内に挿入される。これにより、プレス成形型１が組まれた状態になる。この後は、プレス成形型１は、所定の位置において、チャンバ１１０の取り出し・供給部１０８に供給されるのを待つ。
【００５２】
以上説明したように、本例のプレス成形型１を用いる場合には、その下型保持板６の各凹部８に各下型５のフランジ５ｃを収納することにより、上記吸引固定時の当接面積が確保され、安定な姿勢で下型の移動動作が行える。また、凹部により下型移動時の倒れが防止され、上記吸引固定の安定性が確保される。
【００５３】
また、昇降台１３２による上昇時に、下型上端と胴型との接触時のショックを緩和するとともに両者の挿入を円滑に行うため、胴型貫通穴７にテーパ面７ｄが形成されているので、わずかに位置ずれが生じたときの衝撃を緩和することができる。なお、胴型２の直近、もしくは下型の一部が胴型２の貫通穴７のテーパ面７ｄが設けられた開口縁部に入り込んだときに吸着固定を解除して、テーパにガイドさせ、緩やかに挿入してもよい。
【００５４】
なお、本例のプレス成形型１における上下型の組数に限定はない。組数が多くなり胴型径が大きくなった場合、上下型を外周付近に配置させ、胴型中心部には上下方向に貫通する穴を設けることができる。このようにすると、胴型の熱容量が小さくなり、加熱や均熱に有利になる。
【００５５】
また、胴型は円柱に限定されるものではない。例えば、多角柱とすることができる。図６は、胴型が四角柱形状である４個取りのプレス成形型を示す平面図である。一般に、プレス成形装置の処理室１０はほぼ長方形であるので、図に示すように、胴型１２の両側面１２ａをヒーター１３に平行になるように配置すれば、４組の上下の型１４、１５の均熱性が向上する。
【００５６】
なお、上記実施形態では、３個取りまたは４個取りのプレス成形型の例を挙げて説明したが、本発明はこれらの例に限定されず、２個取りもしくは５個取り以上のプレス成形型にも適用できる。
【００５７】
また、上記実施形態では、回転移送するモールドトランスファー方式のプレス成形装置の例を示したが、直線移送方式のプレス成形装置にも適用できる。
【００５８】
さらに、上記実施形態では、移送手段としても回転テーブルに試料台を配置し、当該試料台の上に本発明のプレス成形型を載置して、各処理室を順次移送する例を示したが、移送手段にプレス成形型を直接保持または配置させて移送するようにしてもよい。
【００５９】
（プレス成形型の別の例）
次に、図７は、本発明を適用したプレス成形型の別の実施の形態を示す分解斜視図である。図示のプレス成形型２０は、円柱状の共通胴型２２と、３組の上型２４および下型２５とを有している。
【００６０】
共通胴型２２には、同一円状に等角度間隔で３個の軸線方向に延びる貫通穴２７が形成されている。各貫通穴２７の上端開口から上型２４が摺動可能な状態で嵌め込まれ、それらの下端開口から下型２５が摺動可能な状態で嵌め込まれる。各上型２４および各貫通穴２７は、図１、２に示すプレス成形型１における上型４および貫通穴７と同様の構造となっている。
【００６１】
しかるに、下型２５は、円柱状の下型本体２８と、この下型本体２８の下端に一体形成されている扇形のフランジ２９とを備えている。下型本体２８の上端面には成形面２８ａが形成されている。図から分かるように、扇形のフランジ２９は、一枚の円板３０を、その中心周りに等角度間隔で３等分して得られる形状のものである。したがって、３個の下型２５のフランジ２９を、それらの左右の端面を当接した状態で連結すると、一枚の円板３０が構成される。このように下型２５を連結した状態において、各下型２５の下型本体２８が胴型２２の各貫通穴２７に挿入可能な位置となるように設定されている。
【００６２】
したがって、図８に示すように、一組のロボットハンド３１、３２により、円板３０の外周面３０ａを把持すれば、３個の下型２５が一体化された状態で保持できる。よって、このように一体化保持した状態で、成形型からのプレス品の取り出し、成形素材の供給が行える。
【００６３】
このように構成したプレス成形型２０では、複数の下型２５を昇降台上などに並べた時に、それらのフランジ２９の外周面が一つの円を形成するので、その状態で、上型とともに共通胴型に嵌合して試料台１１２上に配置し、プレス成形型２０を移送することができる。また、プレス成形型２０の分解時には、各下型２５を吸着できる複数の吸引孔１３６を持つ昇降台１３２に乗せて、各下型２５を吸着固定した状態で、一括して胴型２２から下型２５を引き抜くことができる。なお、かかるプレス成形型２０には、前記プレス成形型１のような吸引穴９を設ける必要はなく、ロボットハンド等で３個の下型２５を一体的に把持することで、胴型２２に一括して挿入又は引き抜きを行うことができる。
【００６４】
なお、かかる構成のプレス成形型２０も、図３、図４に示すモールドトランスファー方式のプレス成形装置１００に用いることができる。また、プレス成形型２０のフランジ２９の形状として、中心に貫通孔のある円板を分割して得られる扇形状であっても良い。
【図面の簡単な説明】
【００６５】
【図１】本発明を適用した３個取り用のプレス成形型を示す縦断面図である。
【図２】図１のプレス成形型の分解斜視図である。
【図３】図１のプレス成形型を用いたモールドトランスファー方式のプレス成形装置の概略平面構成図である。
【図４】図３のプレス成形装置の取り出し・供給部の概略縦断面図である。
【図５】図３のプレス成形装置の成形型分解・組立部の概略構成図である。
【図６】図１のプレス成形型の変形例を示す平面図である。
【図７】本発明を適用したプレス成形型の別の例を示す分解斜視図である。
【図８】図７のプレス成形型の保持状態を示す説明図である。
【符号の説明】
【００６６】
１  プレス成形型、２  共通胴型、４  上型、４ａ  成形面、４ｂ  上型本体、４ｃ  フランジ、５  下型、５ａ  成形面、５ｂ  下型本体、５ｃ  フランジ、６  下型保持板、７  貫通穴、７ａ  上端開口縁、７ｂ  大径部分、７ｃ  下端開口縁、７ｄ  テーパ面、８  凹部、９  吸引穴、１０  処理室、１２  胴型、１３  ヒーター、１４  上型、１５  下型、２０  成形型、２２  共通胴型、２４  上型、２５  下型、２７  貫通穴、２８  下型本体、２９  フランジ、３０  円板、３０ａ  円板外周面、３１，３２  ロボットハンド、１００  プレス成形装置、１０１〜１０６  処理室、１０７，１０８  処理部、１１０  チャンバ、１１１  回転テーブル、１１２  試料台、１１３〜１１９  シャッター、１３０  成形型分解・組立部、１３１  昇降機構、１３２  昇降台、１３３  胴型固定治具、１３４  真空吸引部、１３５  載置面、１３６  吸引穴、Ｗ  ガラス素材、Ｗａ  プレス品
【図１】
2006240913.tif 000003
【図２】
2006240913.tif 000004
【図３】
2006240913.tif 000005
【図４】
2006240913.tif 000006
【図５】
2006240913.tif 000007
【図６】
2006240913.tif 000008
【図７】
2006240913.tif 000009
【図８】
2006240913.tif 000010